(57)【要約】【課題】従来は、単に蓋部材で閉塞しただけであるから、蓋部材を外す構成の開示はなく、蓋を外せば、採取装置内部の圧力が高くなっている場合、内部の未固化試料が噴出し、作業者にかかるなどして、回収効率や作業性が悪いという課題がある。【解決手段】地中に注入した注入物と土壌との混合試料を回収する回収室３を内部に有するケース２と、回収室３の採取口４を開閉する開閉部材５とを有し、ケース２の所定位置には、試料取出部２５内の試料を排出する試料取出口２６と、試料取出口２６を閉塞する取出ピン２７とにより構成する試料取出部２５を設け、該試料取出部２５は、取出ピン２７が試料取出口２６の排出方向に対して反対方向に移動すると、試料取出口２６を開口させるように構成した試料回収装置。【選択図】図２
2019119999.tif 000002
【特許請求の範囲】
【請求項１】
地中に注入した注入物と土壌との混合試料を回収する回収室３を内部に有するケース２と、回収室３の採取口４を開閉する開閉部材５とを有し、ケース２の所定位置には、試料取出部２５内の試料を排出する試料取出口２６と、試料取出口２６を閉塞する取出ピン２７とにより構成する試料取出部２５を設け、該試料取出部２５は、取出ピン２７が試料取出口２６の排出方向に対して反対方向に移動すると、試料取出口２６を開口させるように構成した試料回収装置。
【請求項２】
請求項１において、前記ケース２の下部には、前記回収室３を閉塞する閉塞部材４３を着脱自在に設け、前記試料取出部２５は、ケース２の一方側に試料取出口２６を設け、試料取出口２６の反対側のケース２に前記取出ピン２７を挿入する取出ピン挿入口３０を形成し、取出ピン挿入口３０から挿入した取出ピン２７の先端が試料取出口２６に嵌合して閉塞する構成とし、前記取出ピン２７は、前記取出ピン挿入口３０内に位置する部分の外周面に、前記取出ピン挿入口３０内に形成したメスネジ溝３２に螺合するオスネジ溝３１を形成し、メスネジ溝３２にオスネジ溝３１が螺合した状態で前記試料取出口２６内に位置する取出ピン２７の先端部分には先端に至るに従い外径を細くする排出量調節部３５を形成し、前記取出ピン２７のオスネジ溝３１が設けてある側の端部には、取出ピン２７を回すための操作用頭部３４を設け、前記排出量調節部３５は、先端に至るに従い軸径が細くなるように側面視において直線状の傾斜面、または、先端に至るに従い深くなるような断面Ｖ字状溝に形成した試料回収装置。
【請求項３】
請求項１において、前記ケース２の下部には、前記回収室３を閉塞する閉塞部材４３を着脱自在に設けた試料回収装置。
【請求項４】
請求項１または請求項３において、前記試料取出部２５は、ケース２の一方側に試料取出口２６を設け、試料取出口２６の反対側のケース２に前記取出ピン２７を挿入する取出ピン挿入口３０を形成し、取出ピン挿入口３０から挿入した取出ピン２７の先端が試料取出口２６に嵌合して閉塞する構成とした試料回収装置。
【請求項５】
請求項４において、前記取出ピン２７は、前記取出ピン挿入口３０内に位置する部分の外周面に、前記取出ピン挿入口３０内に形成したメスネジ溝３２に螺合するオスネジ溝３１を形成し、メスネジ溝３２にオスネジ溝３１が螺合した状態で前記試料取出口２６内に位置する取出ピン２７の先端部分には先端に至るに従い外径を細くする排出量調節部３５を形成した試料回収装置。
【請求項６】
請求項４または請求項５において、前記取出ピン２７のオスネジ溝３１が設けてある側の端部には、取出ピン２７を回すための操作用頭部３４を設けた試料回収装置。
【請求項７】
請求項３または請求項４または請求項５または請求項６において、前記排出量調節部３５は、先端に至るに従い軸径が細くなるように側面視において直線状の傾斜面、または、先端に至るに従い深くなるような断面Ｖ字状溝に形成した試料回収装置。
【請求項８】
ケース２の所定位置に設けた取出ピン挿入口３０から取出ピン２７の先端を挿入させ、取出ピン２７を回転させて取出ピン２７のオスネジ溝３１を取出ピン挿入口３０のメスネジ溝３２に螺合させ、取出ピン２７の回転により操作用頭部３４が取出ピン挿入口３０の入口に当接すると、取出ピン２７の先端の排出量調節部３５が前記取出ピン挿入口３０の反対側に設けた試料取出口２６内に嵌合して試料取出口２６を閉塞し、この状態で試料回収装置１を地中に注入した注入物と土壌との混合試料を回収すべき深度まで下降させ、次に、ケース２の回収室３の採取口４を開口させて、回収室３内に試料を回収し、試料を回収した試料回収装置１を地盤上に上昇させ、次に、取出ピン２７を反対回転させて、取出ピン２７が取出ピン挿入口３０から抜ける方向に移動させ、これにより、取出ピン２７の排出量調節部３５の一部が試料取出口２６から抜けて、試料取出口２６を徐々に開口させて回収室３内の試料を排出させて回収する試料回収方法。
【発明の詳細な説明】
【技術分野】
【０００１】
本発明は、基礎杭工事において、杭下端部の根固め、球根造成、杭周辺の固定等の作業における試料の採取に使用される試料回収装置および試料回収方法に係るものである。
【背景技術】
【０００２】
従来、ケースの所定位置に試料取出口を設け、試料取出口を蓋部材で閉塞する構成は、公知である（特許文献１参照）。
また、ケースの所定位置に試料取出口を設け、試料取出口に蓋部材を螺合させて閉塞する構成は、公知である（特許文献２参照）。
また、ケースの下部に試料取出口を設け、試料取出口の外周に取出口を開口させた蓋部材を設けた構成は、公知である（特許文献３参照）。
【先行技術文献】
【特許文献】
【０００３】
【特許文献１】特開２０１２−８２６１７号公報
【特許文献２】特開２０１１−１２５３４号公報
【特許文献３】特開２０１３−０２０９６号公報
【発明の概要】
【発明が解決しようとする課題】
【０００４】
前記公知例のうち、特許文献１に記載の構成は、単に蓋部材で閉塞しただけであるから、蓋部材を外す構成の開示はなく、蓋を外せば、採取装置内部の圧力が高くなっている場合、内部の未固化試料が噴出し、作業者にかかるなどして、回収効率や作業性が悪い。
前記公知例のうち、特許文献２に記載の構成も、蓋部材を試料取出口に螺合させた構成のため、未固化試料が出てくる方向と蓋部材を外す方向が同じであるため、内部の未固化試料が噴出する等の特許文献１と同じ課題を有する。
前記公知例のうち、特許文献３に記載の構成は、筒状の部材の外周に試料取出口を設け、試料取出口の外周に更に筒状の閉塞部材を被せた二重構成のため、構成が複雑であり、二重筒部分に試料が滲出してメンテナンスが容易でないという課題がある。
本発明は、簡単な構成で、かつ、簡単な操作（作業）でありながら、試料を簡単に採取回収できるようにしたものである。
【課題を解決するための手段】
【０００５】
請求項１の発明は、地中に注入した注入物と土壌との混合試料を回収する回収室３を内部に有するケース２と、回収室３の採取口４を開閉する開閉部材５とを有し、ケース２の所定位置には、試料取出部２５内の試料を排出する試料取出口２６と、試料取出口２６を閉塞する取出ピン２７とにより構成する試料取出部２５を設け、該試料取出部２５は、取出ピン２７が試料取出口２６の排出方向に対して反対方向に移動すると、試料取出口２６を開口させるように構成した試料回収装置としたものである。
請求項２の発明は、前記ケース２の下部には、前記回収室３を閉塞する閉塞部材４３を着脱自在に設け、前記試料取出部２５は、ケース２の一方側に試料取出口２６を設け、試料取出口２６の反対側のケース２に前記取出ピン２７を挿入する取出ピン挿入口３０を形成し、取出ピン挿入口３０から挿入した取出ピン２７の先端が試料取出口２６に嵌合して閉塞する構成とし、前記取出ピン２７は、前記取出ピン挿入口３０内に位置する部分の外周面に、前記取出ピン挿入口３０内に形成したメスネジ溝３２に螺合するオスネジ溝３１を形成し、メスネジ溝３２にオスネジ溝３１が螺合した状態で前記試料取出口２６内に位置する取出ピン２７の先端部分には先端に至るに従い外径を細くする排出量調節部３５を形成し、前記取出ピン２７のオスネジ溝３１が設けてある側の端部には、取出ピン２７を回すための操作用頭部３４を設け、前記排出量調節部３５は、先端に至るに従い軸径が細くなるように側面視において直線状の傾斜面、または、先端に至るに従い深くなるような断面Ｖ字状溝に形成した試料回収装置としたものである。
請求項３の発明は、前記ケース２の下部には、前記回収室３を閉塞する閉塞部材４３を着脱自在に設けた試料回収装置としたものである。
請求項４の発明は、前記試料取出部２５は、ケース２の一方側に試料取出口２６を設け、試料取出口２６の反対側のケース２に前記取出ピン２７を挿入する取出ピン挿入口３０を形成し、取出ピン挿入口３０から挿入した取出ピン２７の先端が試料取出口２６に嵌合して閉塞する構成とした試料回収装置としたものである。
請求項５の発明は、前記取出ピン２７は、前記取出ピン挿入口３０内に位置する部分の外周面に、前記取出ピン挿入口３０内に形成したメスネジ溝３２に螺合するオスネジ溝３１を形成し、メスネジ溝３２にオスネジ溝３１が螺合した状態で前記試料取出口２６内に位置する取出ピン２７の先端部分には先端に至るに従い外径を細くする排出量調節部３５を形成した試料回収装置としたものである。
請求項６の発明は、前記取出ピン２７のオスネジ溝３１が設けてある側の端部には、取出ピン２７を回すための操作用頭部３４を設けた試料回収装置としたものである。
請求項７の発明は、前記排出量調節部３５は、先端に至るに従い軸径が細くなるように側面視において直線状の傾斜面、または、先端に至るに従い深くなるような断面Ｖ字状溝に形成した試料回収装置としたものである。
請求項８の発明は、ケース２の所定位置に設けた取出ピン挿入口３０から取出ピン２７の先端を挿入させ、取出ピン２７を回転させて取出ピン２７のオスネジ溝３１を取出ピン挿入口３０のメスネジ溝３２に螺合させ、取出ピン２７の回転により操作用頭部３４が取出ピン挿入口３０の入口に当接すると、取出ピン２７の先端の排出量調節部３５が前記取出ピン挿入口３０の反対側に設けた試料取出口２６内に嵌合して試料取出口２６を閉塞し、この状態で試料回収装置１を地中に注入した注入物と土壌との混合試料を回収すべき深度まで下降させ、次に、ケース２の回収室３の採取口４を開口させて、回収室３内に試料を回収し、試料を回収した試料回収装置１を地盤上に上昇させ、次に、取出ピン２７を反対回転させて、取出ピン２７が取出ピン挿入口３０から抜ける方向に移動させ、これにより、取出ピン２７の排出量調節部３５の一部が試料取出口２６から抜けて、試料取出口２６を徐々に開口させて回収室３内の試料を排出させて回収する試料回収方法としたものである。
【発明の効果】
【０００６】
請求項１および請求項２の発明では、ケース２の試料取出口２６を閉塞する取出ピン２７が試料取出口２６の排出方向に対して反対方向に移動すると、試料取出口２６を開口させるので、試料の取出し作業を行う箇所である取出ピン挿入口３０と、未固化試料が出てくる箇所である試料取出口２６との位置が異なるため、試料が回収室３内の圧力により噴出しても、作業者にかかることがなく試料の取出回収を行うことができる。
請求項３の発明では、閉塞部材４３を外すと、回収室３内の試料を回収することができ、試料の回収に際して試料取出口２６との使い分けが可能になり、試料回収作業を容易にできる。
請求項４の発明では、試料取出部２５は、ケース２の一方側に試料取出口２６を設け、試料取出口２６の反対側のケース２に前記取出ピン２７を挿入する取出ピン挿入口３０を形成し、取出ピン挿入口３０から挿入した取出ピン２７の先端が試料取出口２６に嵌合して閉塞する構成としているので、取出ピン２７により取出ピン挿入口３０と試料取出口２６を同時に閉塞できると共に、試料の取出し作業を行う箇所である取出ピン挿入口３０と、未固化試料が出てくる箇所である試料取出口２６との位置を相違させる構成を簡単に実現でき、安価な試料回収装置を提供できる。
請求項５の発明では、取出ピン２７は、取出ピン挿入口３０内のメスネジ溝３２に螺合するオスネジ溝３１を形成し、取出ピン２７の先端部分には先端に至るに従い外径を細くする排出量調節部３５を形成しているので、取出ピン２７を回転操作という簡単な操作で試料回収・取出することができ、また、排出量調節部３５により徐々に試料を排出させることができ、試料の排出量調節が可能にできる。
請求項６の発明では、取出ピン２７の端部に操作用頭部３４を設けているので、取出ピン２７の回転操作を容易に行うことができる。
請求項７の発明では、排出量調節部３５は、先端に至るに従い軸径が細くなるように側面視において直線状の傾斜面、または、先端に至るに従い深くなるような断面Ｖ字状溝に形成しているので、試料の排出量調節機構（構成）を簡単に実現できる。
請求項８の発明では、試料が回収室３内の圧力により噴出しても、作業者にかかることなく試料の取出回収を行うことができ、また、徐々に試料を排出させることができる。
【図面の簡単な説明】
【０００７】
【図１】ベースマシンおよび試料回収装置の側面図。
【図２】試料回収装置の作業開始前の縦断側面図。
【図３】試料回収装置の回収後の縦断側面図。
【図４】取出ピンの側面図および試料取出口付近の断面図。
【図５】回収状態模式図。
【図６】排出量調節部の側面図。
【図７】同斜視図。
【図８】同他の実施形態の斜視図および断面図。
【図９】同他の実施形態の平面図および断面図。
【発明を実施するための形態】
【０００８】
本発明の一実施形態を図により説明すると、１は試料回収装置であり、試料回収装置１は既製杭埋め込み工法の実施において、地中に注入した根固め液の土壌との混合状態の試料（未固化液・サンプル）を採取するものである。
本発明は試料回収装置１で採取した試料の取出構成に関するものであり、試料回収装置１は試料を採取できればよく、その構成は任意であり、以下、一例を示す。
試料回収装置１は、縦長で円筒部材により形成したケース２内に試料を回収する回収室３を形成し、ケース２に形成した土壌の試料を採取する採取口４を開閉する開閉部材５を設けて構成している（図２）。
【０００９】
開閉部材５は、ケース２より小径の円筒部材により形成した円筒部６の内周面に上下一対の取付体７を固定している。各取付体７の中心には縦軸芯のカバーロッド８を固定する（図２）。
開閉部材５は、円筒部６をケース２の内周面に密に当接させて上下自在となるようにケース２に取付け、採取口４の内側に円筒部６が位置する閉塞位置と、採取口４よりも下方に円筒部６を位置させて採取口４が開口する開口位置とに切り替わるように構成する。
【００１０】
ケース２内には、開閉部材５を閉塞位置と開口位置とに切り替える切替操作機構１０を設ける。切替操作機構１０は、回収室３の上方のケース２内の下部に支持部材１１を位置固定状態に設け、支持部材１１とこの支持部材１１の上方のケース２の天板部１２との間に切替操作機構１０を収容する切替操作機構収容室１３を形成し、切替操作機構収容室１３内には上下移動体１５を上下移動可能に設け、上下移動体１５には円筒部材により形成した嵌合筒部１６を設け、嵌合筒部１６の下部を開閉部材５のカバーロッド８の上部に取付けて構成している。
上下移動体１５と支持部材１１との間には、上下移動体１５を常時上昇するように付勢するバネ１８を設ける（図２）。
【００１１】
ケース２の天板部１２には外部上側筒部２０の下部を接続し、外部上側筒部２０には上方から前記切替操作機構１０の一部を構成する試料の採取操作用のシンカー２１を挿入する挿入孔２２を設ける。
シンカー２１はバネ１８の弾力より重い重量で構成する。
切替操作機構１０は、シンカー２１を外部上側筒部２０の挿入孔２２から挿入すると、シンカー２１の自重重量で上下移動体１５を下降させ、開閉部材５による採取口４の閉塞を開放して採取口４を開口させ、試料を回収室３内に回収する。
次に、シンカー２１をワイヤー２３により牽引すると、バネ１８の弾力により上下移動体１５を上昇させ、これにより、開閉部材５は採取口４を閉塞し、この状態で、試料回収装置１全体を地盤から上昇させて、試料を回収する。
【００１２】
ケース２の下部には、試料回収装置１で採取した試料の試料取出部２５を設ける。試料取出部２５は、ケース２に形成した試料取出口２６を取出ピン２７の出入りにより閉塞と開口とに切替える構成とし、取出ピン２７が試料取出口２６の試料排出方向に対して反対方向に移動すると、試料取出口２６を開口させるように構成する。
ケース２の下部にはケース２の直径方向に前記試料取出口２６を形成し、試料取出口２６の反対側には取出ピン挿入口３０を形成し、取出ピン挿入口３０には取出ピン挿入口３０からケース２を水平方向に貫通して試料取出口２６を閉塞（蓋）する取出ピン２７を設ける。
そのため、試料取出口２６の開閉操作を試料取出口２６の反対側で行うことが可能となり、試料の噴出により試料取出口２６の開閉操作に悪影響を与えることを防止する。
【００１３】
また、取出ピン２７には取出ピン挿入口３０側にオスネジ溝３１を形成し、取出ピン挿入口３０にはオスネジ溝３１に係合するように取出ピン挿入口３０にメスネジ溝３２を設け、取出ピン２７のオスネジ溝３１が設けてある側の端部のピン頭部３３にはピンを回すための操作用頭部３４を設ける。操作用頭部３４は操作用工具を使用しうるように六角ナット状の突起形状あるいは六角穴の凹部形状により構成する。
取出ピン２７の試料取出口２６側の端部（先端部）には排出量調節部３５を設ける。
取出ピン２７の排出量調節部３５は、回収室３と試料取出口２６とを徐々に連通させて一度に試料取出口２６が開口しないようにするものである。
したがって、排出量調節部３５は試料取出口２６に嵌合している状態では、試料取出口２６を閉塞する構成とし、一例として、図４、図７のように、先端に至るに従い軸径が細くなるように側面視において直線状の傾斜面３６にて形成している。
【００１４】
また、図８は排出量調節部３５の他の実施形態であり、終始同径の取出ピン２７の先端外周面に、先端に至るに従い深くなるような断面Ｖ字形状のＶ字溝３７に形成している。
また、図９は排出量調節部３５の他の実施形態であり、取出ピン２７の先端外周面に取り入れ口４０を形成し、取出ピン２７の先端面に排出口４１を形成し、取り入れ口４０と排出口４１を連通孔４２により断面Ｌ型状に連通させて構成している。
排出量調節部３５は、取出ピン２７を回す角度により試料の排出する際の試料取出口２６の排出流量を調節することができる。
これにより、試料回収装置１全体を地盤から引き上げた後、取出ピン２７を回すと取出ピン２７が試料取出口２６から徐々に抜けていき、試料取出口２６から試料を回収することができる。
【００１５】
すなわち、試料取出部２５は、ケース２に形成した試料取出口２６と、取出ピン２７を挿入する取出ピン挿入口３０とを相対峙させて設け、取出ピン挿入口３０から挿入した取出ピン２７の先端により試料取出口２６を回収室３側から閉塞する構成とする。
したがって、取出ピン２７は、取出ピン挿入口３０に螺合すると、排出量調節部３５が試料取出口２６内に位置するように設定して形成する。
すなわち、取出ピン２７の操作用頭部３４がケース２の嵌合孔４４の孔底に当接すると、取出ピン２７の排出量調節部３５が試料取出口２６内に位置して閉塞する設定としている。
【００１６】
また、ケース２の下部には、回収室３を閉塞する閉塞部材４３を着脱自在に設ける。閉塞部材４３を外して回収室３内の試料を回収する。
この場合、回収室３内の圧力が高い場合は、取出ピン２７を回転させて試料取出口２６から徐々に試料回収すると、閉塞部材４３の開放に比し、試料の噴出を防止でき、試料回収作業を容易にする。
また、回収室３内の圧力が低い場合（取出ピン２７を回転させて試料取出口２６を開口させて圧力を低下させた等）、閉塞部材４３を開放することにより、短時間で試料の回収を行えるだけでなく、回収室３内の清掃等のメンテナンス作業も容易になる。
すなわち、本発明では、試料取出口２６と閉塞部材４３を外した開放口（図示省略）の二カ所から、試料の回収ができ、作業条件等によって使い分けが可能になって、この点で、試料回収作業を容易にしている。
【００１７】
しかして、試料回収装置１により土壌中の試料を採取する手段は任意であるが、以下、一例を示す。図１において、４５は地盤上に設置したベースマシンであり、ベースマシン４５のマスト４６にアースオーガー４７を上下動自在に取付け、アースオーガー４７の掘削ロッド４８の下端に掘削ヘッド（図示省略）を装着して掘削縦孔を掘削し、試料を土壌に注入して地盤改良あるいは杭の施工作業を行い、作業終了後に、アースオーガー４７の掘削ロッド４８を一旦引き上げ、アースオーガー４７の掘削ロッド４８から掘削ヘッドを外し、代わりに、試料回収装置１のケース２の天板部１２を取付ける。
そして、アースオーガー４７を下降させて掘削縦孔Ｔに試料回収装置１を挿入する。
【００１８】
次に、所定深さ位置まで掘削ロッド４８を挿入すると、地盤上に突き出ている掘削ロッド４８の所定部分に係合部４９を取付け（図３）、この係合部４９の下面に支持部材５０を当てがって支持し、この状態で、試料回収装置１のケース２側に接続されている掘削ロッド４８とアースオーガー４７側に接続されている掘削ロッド４８との接続を切り離し、試料回収装置１の上方に、ウインチ５１を有する台座５２を設置して試料のサンプル回収作業を行う。
【００１９】
（実施形態の作用）
本発明は上記構成であり、地盤所定位置に土壌改良剤等を土壌に注入して地盤改良あるいは杭を施工する。
試料回収装置１は、縦長で円筒部材により形成したケース２内に試料を回収する回収室３を形成し、ケース２に形成した土壌の試料を採取する採取口４を開閉する開閉部材５を設けて構成しているので、開閉部材５が採取口４の内側に位置する閉塞状態で、試料回収装置１を試料の採取を希望する所望深度にまで下降させる。
所望深度に試料回収装置１を下降させたら、ケース２内に設けた開閉部材５を閉塞位置と開口位置とに切り替える切替操作機構１０により開閉部材５を下降させて採取口４を開口させ、回収室３内に試料を流入させる。
【００２０】
次に、回収室３内に試料を流入させると、切替操作機構１０により開閉部材５を上昇させ、開閉部材５の円筒部６により採取口４を閉塞する。
この状態で、アースオーガー４７を上昇させて、試料回収装置１全体を地盤から上昇させて、試料を回収する。
ケース２の下部には試料回収装置１で採取した試料の試料取出部２５を設け、試料取出部２５はケース２に形成した試料取出口２６と、試料取出口２６を閉塞する取出ピン２７とを有して構成しているので、試料取出口２６を閉塞する取出ピン２７を、試料取出口２６から抜く方向に移動させると、回収室３内の試料は試料取出口２６から排出されて回収できる。
【００２１】
試料取出口２６は、ケース２の下部を閉塞する閉塞部材４３の上方であって、取出ピン２７を挿入する取出ピン挿入口３０の反対側のケース２に形成しているので、取出ピン２７を取出ピン挿入口３０から抜くと、回収室３内の試料は、操作位置と反対側の試料取出口２６から排出される。
したがって、試料の取出し作業を行う箇所と、未固化試料が出てくる箇所が異なることになり、試料が採取装置内部の圧力により噴出しても、作業者にかかるのを防止でき、衛生的に試料の取出作業を行うことができる。
【００２２】
すなわち、試料取出口２６の反対側のケース２に取出ピン挿入口３０を形成し、取出ピン挿入口３０から挿入した取出ピン２７の先端は試料取出口２６に嵌合して閉塞しているので、取出ピン挿入口３０から取出ピン２７を抜くように移動させると、取出ピン２７の先端は試料取出口２６から回収室３内に引っ込んで、回収室３内の試料は試料取出口２６から排出されて回収される。
取出ピン２７は、その外周面に取出ピン挿入口３０内に形成したメスネジ溝３２に螺合するオスネジ溝３１を形成し、取出ピン２７のオスネジ溝３１が設けてある側の端部（一端側）には、取出ピン２７を回すための六角頭等の操作用頭部３４を設けているので、操作用頭部３４を操作工具（図示省略）等により回転させると、取出ピン挿入口３０は取出ピン２７の先端が試料取出口２６から抜ける方向に移動し、回収室３内の試料は試料取出口２６から排出されて回収される。
【００２３】
したがって、試料取出口２６の開閉操作を試料取出口２６の反対側で行うことが可能となり、しかも、取出ピン２７を回転させるだけの操作によって、試料取出口２６から試料を排出させて回収でき、回収取出操作を容易にする。
この場合、取出ピン２７の試料取出口２６側の端部（他端側）には、切欠状の排出量調節部３５を設けているので、取出ピン２７を回転させると、取出ピン２７が試料取出口２６から徐々に抜けて、排出量調節部３５が試料取出口２６と回収室３内とを少しずつ連通させ、試料取出口２６から試料を回収することができ、試料が回収室３内の圧力により噴出するのを防止でき、試料の噴出により試料取出口２６の開閉操作を害することを防止する。
【００２４】
また、取出ピン２７には取出ピン挿入口３０側にオスネジ溝３１を形成し、取出ピン挿入口３０にはオスネジ溝３１に係合するように取出ピン挿入口３０にメスネジ溝３２を設け、取出ピン２７のオスネジ溝３１が設けてある側の端部にはピンを回すための操作用頭部３４を設け、取出ピン２７の試料取出口２６側の端部には排出量調節部３５を設ける構成としているため、取出ピン２７を回す角度により試料の排出する際の流量を調節することができる。
これにより、試料回収装置１全体を地盤から引き上げた後、取出ピン２７を回すと取出ピン２７が試料取出口２６から徐々に抜けていき、試料取出口２６から試料を回収することができる。
【００２５】
すなわち、試料取出部２５は、ケース２に形成した試料取出口２６と、取出ピン２７を挿入する取出ピン挿入口３０とを相対峙させて設け、取出ピン挿入口３０から挿入した取出ピン２７の先端により試料取出口２６を回収室３側から閉塞する構成としているので、取出ピン２７の操作用頭部３４を操作すると、回収室３内の試料は、操作位置と反対側の試料取出口２６から排出され、試料の取出し作業を行う箇所と、未固化試料が出てくる箇所が異なることになり、試料が回収室３内の圧力により噴出しても、作業者にかかるのを防止でき、衛生的に試料の取出作業を行うことができる。
【００２６】
また、取出ピン２７の排出量調節部３５により試料の取出し流量を調節できるため、試料が大量に噴出することを抑えられ、この点でも、効率的に回収室３内の試料の取出しを行うことが出来る。
また、回収室３内の圧力による荷重が大きい可能性がある初期導通時は、取出ピン２７の排出量調節部３５部分以外の外周面が試料取出口２６の内周面と接しているため、取出ピン２７の摺動を安定して行うことができる。
また、試料取出部２５の取出ピン２７は、取出ピン挿入口３０のメスネジ溝３２にオスネジ溝３１が螺合すると、排出量調節部３５が試料取出口２６内に位置するように設定しているので、作業開始時に、取出ピン２７を取出ピン挿入口３０に螺合させるだけでセッティングが完了し、試料の取出作業を容易にする。
【００２７】
また、取出ピン２７の排出量調節部３５は、先端に至るに従い軸径が細くなるように側面視において直線状の傾斜面にて形成しているので、試料取出口２６からの試料の排出量の調節機構を簡単に構成できる。
また、図９の排出量調節部３５の他の実施形態では、取出ピン２７の先端外周面に取り入れ口４０を形成し、取出ピン２７の先端面に排出口４１を形成し、取り入れ口４０と排出口４１を連通孔４２により断面Ｌ型状に連通させて構成しているので、取出ピン２７を回転させると、取出ピン２７の排出量調節部３５の取り入れ口４０と回収室３内との連通面積が徐々に大きくなって、試料を徐々に排出させられる。
【符号の説明】
【００２８】
１…試料採取装置、２…ケース、３…回収室、４…採取口、５…開閉部材、６…円筒部、７…取付体、８…カバーロッド、１０…切替操作機構、１１…支持部材、１２…天板部、１３…切替操作機構収容室、１５…上下移動体、１６…嵌合筒部、１８…バネ、２０…外部上側筒部、２１…シンカー、２２…挿入孔、２３…ワイヤー、２５…試料取出部、２６…試料取出口、２７…取出ピン、３０…取出ピン挿入口、３１…オスネジ溝、３２…メスネジ溝、３４…操作用頭部、３５…排出量調節部、４０…取り入れ口、４１…排出口、４２…連通孔、４３…閉塞部材、４５…ベースマシン、４６…マスト、４７…アースオーガー、４８…掘削ロッド。
【図１】
2019119999.tif 000003
【図２】
2019119999.tif 000004
【図３】
2019119999.tif 000005
【図４】
2019119999.tif 000006
【図５】
2019119999.tif 000007
【図６】
2019119999.tif 000008
【図７】
2019119999.tif 000009
【図８】
2019119999.tif 000010
【図９】
2019119999.tif 000011